(57)【要約】【課題】温風送出ファンの回転駆動方向と、浄化空気送出ファンの回転駆動方向とが異なる場合に第１モータと第２モータとにかかるコスト増加を抑えることができ、各モータの取付違いを確実に防止して組立作業の効率を向上することができる空気清浄器付き温風暖房装置を提供する。【解決手段】  温風暖房用の温風送出ファン７と、空気清浄用の浄化空気送出ファン１８とが逆方向に回転駆動される空気清浄器付き温風暖房装置１において、温風送出ファン７を駆動する第１モータ１３の回転子と、浄化空気送出ファン１８を駆動する第２モータ２３の回転子とは同一方向に回転する。第１モータ１３の回転子の駆動軸はモータハウジングの一方側に延出して温風送出ファン７に連結し、第２モータ２３の回転子の駆動軸はモータハウジングの他方側に延出して浄化空気送出ファン１８に連結する。【選択図】図１
2006017336.tif 000002
【特許請求の範囲】
【請求項１】
温風暖房器と空気清浄器とが一体に設けられてなり、温風暖房用の温風送出ファンと、該温風送出ファンに駆動軸を連結して温風送出ファンを回転駆動する第１モータと、空気清浄用の浄化空気送出ファンと、該浄化空気送出ファンに駆動軸を連結して浄化空気送出ファンを回転駆動する第２モータとを備え、前記温風送出ファンに連結される第１モータの駆動軸と、前記浄化空気送出ファンに連結される第２モータの駆動軸とが互いに逆方向に回転される空気清浄器付き温風暖房装置において、
前記第１モータは、その駆動軸を備える回転子がモータハウジングの内部において所定方向に回転し、該駆動軸がモータハウジングの一方側に延出して、該駆動軸の延出側に前記温風送出ファンが連結され、
前記第２モータは、その駆動軸を備える回転子が前記第１モータと同一形状のモータハウジングの内部において前記第１モータの回転子と同一方向に回転し、該駆動軸がモータハウジングの前記第１モータと反対側に延出して、該駆動軸の延出側に前記浄化空気送出ファンが連結されていることを特徴とする空気清浄器付き温風暖房装置。
【請求項２】
前記第１モータは、そのモータハウジングの駆動軸が延出する側の側壁に、温風送出ファンを収容するファンケースに連結固定される連結部が設けられており、
前記第２モータは、そのモータハウジングの駆動軸が延出する側と反対側の側壁に、連結部材を介して浄化空気送出ファンを収容するファンケースに連結固定される連結部が設けられていることを特徴とする請求項１記載の空気清浄器付き温風暖房装置。
【発明の詳細な説明】
【技術分野】
【０００１】
本発明は、温風暖房器に空気清浄器が一体に設けられた空気清浄器付き温風暖房装置に関する。
【背景技術】
【０００２】
従来、ガスバーナ等の熱源を備えて該熱源により加熱された空気を温風送出ファンにより室内に放出する温風暖房器と、空気を浄化するフィルタを備えて浄化空気送出ファンにより浄化された空気を室内に放出する空気清浄器とが一つの筐体内に相互に独立して設けられた空気清浄器付き温風暖房装置が知られている（例えば、特許文献１参照）。
【０００３】
この種の空気清浄器付き温風暖房装置は、前記温風送出ファンを回転駆動する第１モータと、前記浄化空気送出ファンを回転駆動する第２モータとを備えている。ここで、温風送出ファンを駆動するときの回転駆動方向と、浄化空気送出ファンを駆動するときの回転駆動方向とが同じであれば、第１モータと第２モータとで同じ構成のモータを使用して部品の共通化を図ることができる。
【０００４】
しかし、前記筐体内部における各モータの取り付けスペースの制約や取付位置の影響によって、温風送出ファンを駆動するときの回転駆動方向と、浄化空気送出ファンを駆動するときの回転駆動方向とが異なってしまう場合がある。この場合には、第１モータと第２モータとで同じ構成のモータを使用することはできず、コストが増加する不都合がある。特に、固定子がコイルにより構成されたＡＣモータを両モータに採用する場合には、第１モータと第２モータとで同じ外観形状であっても固定子のコイルの巻回方向が異なり、両モータを共通化することができないために、コストが増加する不都合がある。
【０００５】
また、第１モータと第２モータとで固定子のコイルの巻回方向が異なっていても、両モータが同じ外観形状であるときには、温風送出ファンに対応するモータと浄化空気送出ファンに対応するモータとを即座に視認することが困難であるため、両モータの取付違いが生じるおそれがある。
【特許文献１】特開２００１−１５３４６６
【発明の開示】
【発明が解決しようとする課題】
【０００６】
かかる不都合を解消して、本発明は、温風送出ファンを駆動するときの回転駆動方向と、浄化空気送出ファンを駆動するときの回転駆動方向とが異なっていても、第１モータと第２モータとにかかるコスト増加を抑えることができ、しかも、温風送出ファン及び浄化空気送出ファンへの各モータの取付違いを確実に防止して組立作業の効率を向上することができる空気清浄器付き温風暖房装置を提供することを目的とする。
【課題を解決するための手段】
【０００７】
かかる目的を達成するために、本発明は、温風暖房器と空気清浄器とが一体に設けられてなり、温風暖房用の温風送出ファンと、該温風送出ファンに駆動軸を連結して温風送出ファンを回転駆動する第１モータと、空気清浄用の浄化空気送出ファンと、該浄化空気送出ファンに駆動軸を連結して浄化空気送出ファンを回転駆動する第２モータとを備え、前記温風送出ファンに連結される第１モータの駆動軸と、前記浄化空気送出ファンに連結される第２モータの駆動軸とが互いに逆方向に回転される空気清浄器付き温風暖房装置において、前記第１モータは、その駆動軸を備える回転子がモータハウジングの内部において所定方向に回転し、該駆動軸がモータハウジングの一方側に延出して、該駆動軸の延出側に前記温風送出ファンが連結され、前記第２モータは、その駆動軸を備える回転子が前記第１モータと同一形状のモータハウジングの内部において前記第１モータの回転子と同一方向に回転し、該駆動軸がモータハウジングの前記第１モータと反対側に延出して、該駆動軸の延出側に前記浄化空気送出ファンが連結されていることを特徴とする。
【０００８】
本発明における前記第１モータと前記第２モータとは、同一形状のモータハウジングを備えるが、それぞれのモータハウジングに対して第１モータの駆動軸と第２モータの駆動軸とが相互に反対方向に延出している。これにより、モータハウジング内の回転子の回転方向が、第１モータと第２モータとで同一方向であっても、モータハウジングから延出する駆動軸側からみれば、第１モータの駆動軸と第２モータの駆動軸とで相互に逆方向に回転する。
【０００９】
このように、第１モータと第２モータとは、それらの駆動軸を互いに反対方向に延出させるように設けるだけで、駆動軸以外の構成（例えば、固定子のコイルの巻回方向）を共通化してそれぞれの駆動軸が相互に逆方向に回転するモータを得ることができ、モータにかかるコスト増加を抑えることができる。
【００１０】
また、本発明において、前記第１モータは、そのモータハウジングの駆動軸が延出する側の側壁に、温風送出ファンを収容するファンケースに連結固定される連結部が設けられており、前記第２モータは、そのモータハウジングの駆動軸が延出する側と反対側の側壁に、連結部材を介して浄化空気送出ファンを収容するファンケースに連結固定される連結部が設けられていることを特徴とする。
【００１１】
本発明によれば、前記第１モータにおいては、駆動軸の延出側に前記連結部が位置するのに対して、前記第２モータにおいては、駆動軸が延出する側と反対側の側壁に連結部が位置する。このとき、第１モータと第２モータとは、それらの駆動軸の延出方向が相互に反対方向であるので、両モータのモータハウジングを同一形状に形成して該モータハウジングに対して同じ位置に連結部を設けるだけでこの構成を得ることができ、モータハウジングを共通化してモータにかかるコスト増加を抑えることができる。
【００１２】
そして、本発明の前記第１モータを温風送出ファンを収容するファンケースに取り付けるときには、駆動軸を温風送出ファンに連結して、モータハウジングの連結部をそのファンケースに連結固定する。前記第２モータを浄化空気送出ファンを収容するファンケースに取り付けるときには、駆動軸を浄化空気送出ファンに連結して、モータハウジングの連結部をそのファンケースに連結固定する。
【００１３】
第２モータにおいては、駆動軸が延出する側と反対側の側壁に連結部が設けられているので、連結部材を介して浄化空気送出ファンを収容するファンケースに連結固定される。一方、第１モータにおいては、駆動軸の延出側に前記連結部が設けられている。従って、第１モータと第２モータとは、駆動軸に対して連結部の位置が異なっているので第１モータと第２モータとを即座に視認判別することができ、温風送出ファン及び浄化空気送出ファンへの各モータの取付違いを確実に防止することができるので、組立作業の効率を向上することができる。
【発明を実施するための最良の形態】
【００１４】
本発明の一実施形態を図面に基づいて説明する。図１は本実施形態の空気清浄器付き温風暖房装置の構成を模式的に示す説明図、図２は温風送出ファンのファンケースへの第１モータの取付状態を示す説明的平面図、図３は浄化空気送出ファンのファンケースへの第２モータの取付状態を示す説明的斜視図、図４は図３の説明的平面図、図５は第１モータを示す説明的断面図、図６は第２モータを示す説明的断面図である。
【００１５】
本実施形態の温風暖房装置１は、図１に示すように、筐体２の略下半部に温風暖房器３を備え、筐体２の略上半部に空気清浄器４を備えている。
【００１６】
図１に示すように、温風暖房器３は、熱源としてのバーナ５が収容された燃焼室６と、燃焼室６の下方に連設されて内部に温風送出ファン７が収容された第１ファンケース８とを備えている。燃焼室６の背面側には空気取り入れ口９が設けられており、第１ファンケース８の前面側には温風吹出し口１０が設けられている。空気取り入れ口９と温風吹出し口１０とは燃焼室６と第１ファンケース８とを介して連通し、これによって空気通路を形成している。空気取り入れ口９には、塵、埃をろ過する第１フィルタ１１が備えられている。
【００１７】
図２に示すように、第１ファンケース８には、その一側壁を閉塞する椀状の第１閉塞部材１２が取り付けられている。第１閉塞部材１２には第１モータ１３が固定されている。第１モータ１３は、その駆動軸１４が温風送出ファン７の一端部から延出する回転軸に連結されている。また、第１ファンケース８には、温風送出ファン７の他端から延出する回転軸の軸受け部材１５を中心位置に支持すると共に第１ファンケース８の他側壁を閉塞する椀状の第２閉塞部材１６が取り付けられている。
【００１８】
第１モータ１３は、温風送出ファン７の回転軸に連結する駆動軸１４がモータハウジング１７の一方側（図２において左側）から延出されている。そして、本実施形態においては、第１モータ１３の駆動軸１４の回転方向は、該駆動軸１４側から見て反時計回りとされ、これによって温風の送り出し方向に温風送出ファン７を回転駆動することができるようになっている。
【００１９】
図１に示すように、空気清浄器４は、浄化空気送出ファン１８が収容された第２ファンケース１９を備えている。第２ファンケース１９の背面側には空気取り入れ口２０が設けられており、第２ファンケース１９の上面側には浄化空気吹出し口２１が設けられている。空気取り入れ口２０には、塵、埃をろ過すると共に空気を浄化する第２フィルタ２２が備えられている。
【００２０】
図３及び図４に示すように、第２ファンケース１９の前側壁には第２モータ２３が連結部材２４を介して取り付けられている。第２モータ２３は、図４に示すように、駆動軸２５が第２ファンケース１９内に突出して浄化空気送出ファン１８の軸心に連結されている。
【００２１】
第２モータ２３は、その駆動軸２５がモータハウジング１７の一方側（図４において右側）から延出されている。そして、本実施形態においては、第２モータ２３の駆動軸２５の回転方向は、該駆動軸２５側から見て時計回りとされ、これによって浄化空気の送り出し方向に浄化空気送出ファン１８を回転駆動することができるようになっている。
【００２２】
第１モータ１３の駆動軸１４と第２モータ２３の駆動軸２５とは、温風送出ファン７の回転駆動方向と浄化空気送出ファン１８の回転駆動方向とが異なっているために、互いに逆方向に回転する。即ち、前述したように、第１モータ１３の駆動軸１４の回転方向は、該駆動軸１４側から見て反時計回りとされ、第２モータ２３の駆動軸２５の回転方向は、該駆動軸２５側から見て時計回りとされている。
【００２３】
第１モータ１３は、ＡＣモータであり、図５に示すように、固定子２６と回転子２７とがモータハウジング１７に収納されて、該モータハウジング１７の一方側から駆動軸１４が延出している。モータハウジング１７は、一方側が開放されたカップ状の本体２８と、該本体２８の開放された側を閉塞する閉塞板２９とによって構成されている。閉塞板２９には、ネジ孔３０が形成されており、この部分が前記第１ファンケース８に連結する連結部３１とされている。固定子２６は、モータハウジング１７の本体２８の内周面に固定され、鉄心３２とコイル３３とによって構成されている。回転子２７は、モータハウジング１７の本体２８と閉塞板２９とにベアリング３４を介して回転自在に支持された駆動軸１４と、該駆動軸１４に一体に支持されたマグネット３５とによって構成されている。なお、符号３６は回転検知用マグネットであり、符号３７は回転検知マグネット３６を介して回転子２７の回転を検知するホールＩＣ等を内蔵した回転検知手段である。そして、第１モータ１３の駆動軸１４は、モータハウジング１７の閉塞板２９を貫通して外方に延びている。
【００２４】
第２モータ２３は、図６に示すように、第１モータ１３と同じＡＣモータであり、固定子２６と回転子２７とがモータハウジング１７に収納されて、該モータハウジング１７の一方側から駆動軸２５が延出している。図６において、第１モータ１３と同じ構成であるものは、図５と同一の符号を付してその説明を省略する。図５と図６とを比較すれば明らかなように、第２モータ２３の駆動軸２５が、第１モータ１３の駆動軸１４に対して反対側から延出されていることを除けば、他の構成は第１モータ１３と第２モータ２３とで全く同一である。こうすることによって、例えば、固定子２６のコイル３３を第１モータ１３と第２モータ２３とで互いに逆方向に巻回して回転子２７の回転方向が異なるように構成しなくても、第１モータ１３の駆動軸１４と第２モータ２３の駆動軸２５とで互いに逆方向に回転させることができ、第１モータ１３と第２モータ２３とにかかるコストの増加を抑えることができる。
【００２５】
そして、第１モータ１３は、図２に示すように、モータハウジング１７の閉塞板２９に設けられた連結部３１（図５参照）を介して、第１ファンケース８に図示しないネジによりネジ止めして取り付けられる。一方、第２モータ２３は、第１モータ１３と同じ形状のモータハウジング１７を備えることから、図４に示すように、第２ファンケース１９に取り付ける際には、先ず、第２モータ２３のモータハウジング１７の閉塞板２９に設けられた連結部３１を連結部材２４にネジ３８によって取り付け、次いで、連結部材２４を第２ファンケース１９にネジ３９によって連結する。このように、第１モータ１３の駆動軸１４と第２モータ２３の駆動軸２５とで延出方向が異なることに伴い、第１モータ１３のモータハウジング１７と第２モータ２３のモータハウジング１７とで形状が同じであってもそれぞれの取り付け形態が異なるので、温風送出ファン７及び浄化空気送出ファン１８への各モータ１３，２３の取付違いを確実に防止することができる。
【図面の簡単な説明】
【００２６】
【図１】本発明の一実施形態の空気清浄器付き温風暖房装置の構成を模式的に示す説明図。
【図２】温風送出ファンのファンケースへの第１モータの取付状態を示す説明的平面図。
【図３】浄化空気送出ファンのファンケースへの第２モータの取付状態を示す説明的斜視図。
【図４】図３の説明的平面図。
【図５】第１モータの構成を示す説明的断面図。
【図６】第２モータの構成を示す説明的断面図。
【符号の説明】
【００２７】
１…温風暖房装置、３…温風暖房器、４…空気清浄器、７…温風送出ファン、８…第１ファンケース（温風送出ファンのファンケース）、１３…第１モータ、１４…第１モータの駆動軸、１７…モータハウジング、１８…浄化空気送出ファン、１９…第２ファンケース（浄化空気送出ファンのファンケース）、２３…第２モータ、２４…連結部材、２５…第２モータの駆動軸、２７…回転子、３１…連結部。
【図１】
2006017336.tif 000003
【図２】
2006017336.tif 000004
【図３】
2006017336.tif 000005
【図４】
2006017336.tif 000006
【図５】
2006017336.tif 000007
【図６】
2006017336.tif 000008